(57)【要約】【課題】使用者が視覚的な意外性をより一層強く受けるようになる筆記具の提供。【解決手段】インク用液体１６と、このインク用液体１６に着色するための着色剤の主体とが分離されて収納され、インク用液体１６が筆記先端へ誘導される途中で、着色剤がインク用液体１６に添加されるように設けられている筆記具のインク用液体１６に、当該インク用液体１６中において白色を呈する白色粒子を混入する。紙等の白色を呈する被筆記面において、白色粒子は、まったく目立たないので、筆記描線は、殆ど着色剤そのものの色彩で鮮やかに描かれるようになり、筆記時に、あたかもインク用液体１６の色が化学的に変化したように使用者に思わせることができ、使用者が受ける視覚的な意外性がより一層強くなる。【選択図】　　図２
2004142256.tif 000002
【特許請求の範囲】
【請求項１】
インク用液体と、このインク用液体に着色するための着色剤の主体とが分離されて収納され、インク用液体が筆記先端へ誘導される途中で、着色剤がインク用液体に添加されるように設けられている筆記具に於いて、
前記インク用液体中に、当該インク用液体中において白色を呈する白色粒子が混入していることを特徴とする筆記具。
【請求項２】
前記インク用液体中には、前記白色粒子の他に、筆記描線の色とは異なる色に発色する染料及び顔料の少なくとも一方が混入していることを特徴とする請求項１記載の筆記具。
【請求項３】
前記インク用液体及び前記白色粒子がエマルションを形成していることを特徴とする請求項１又は２記載の筆記具。
【発明の詳細な説明】
【０００１】
【発明の属する技術分野】
本発明は、筆記具、更に詳しくは、インクを用いた筆記具であって、インク中に含まれるインク用液体と着色剤とが分離して収納されているものの、インク用液体が筆記先端へ誘導される途中で、着色剤がインク用液体に添加されることにより、筆記先端では所定の色彩を呈するインクで筆記できるようにしてある筆記具に関するものである。
【０００２】
【従来の技術】
従来から、インクを用いた筆記具には、種々のものが提供されている。このような筆記具は、インクとの関係では、大きく２つに分けることができる。１つは、古くからある筆のように、筆記具自体にはインクが備えられておらず、筆記先端にインクを付着させた後に、その付着させたインクを用いて筆記するものである。
【０００３】
このような筆記具としては、具体的には、例えば、筆、鋼筆、つけペン、又は烏口などがある。もう１つは、筆記具自体がインクを保有し、その筆記具自体が保有するインクを筆記先端へ導いて筆記するものである。このような筆記具としては、具体的には、例えば、万年筆、ボールペン、フェルトペン、サインペン（マーカーペン）、又はニードルペンなどがある。
【０００４】
ここで、後者の筆記具に用いられるインクは、染料又は顔料を、ビヒクル（溶剤、媒体）中にあらかじめほぼ均一に溶解又は分散させたものであり、筆記具内に保有されているときと、筆記面に転写されたときとで、ほぼ同一の色彩を呈するように調整されている。
【０００５】
ところで、上述したような従来の筆記具は、その内部に保有されているインクの色彩を見ることによって、筆記面に転写された際のインクの色彩を判断することが出来るので、この点は便利である。
特に、直液式と呼ばれるタイプの筆記具は、インク収容筒に直接インクを収容出来るため、インクの色や量を外から視認することが可能である。
【０００６】
一方、近年、従来の筆記具とは見た感じがまったく異なる新しい筆記具が利用されている。
具体的には、インク用液体と着色剤との主体を分離して収納すると共に、インク用液体が筆記先端へ誘導される途中で、着色剤がインク用液体に添加されるように形成した筆記具が利用されている。
このような筆記具では、筆記具の軸筒の外からインク用液体を視認できるようにするとともに、インク用液体の色を、無色透明、着色剤と同系の薄い色彩、あるいは、着色剤とは異なる色彩にすれば、筆記先端では意外な色彩あるいは濃さを有するインクで筆記が行われるようになり、見た感じが従来とはまったく異なる筆記具にできる（例えば、特許文献１参照。）。
【０００７】
【特許文献１】
特開２００１−２６０５８６号公報
【０００８】
【発明が解決しようとする課題】
前述のような筆記具では、軸筒の外から視認できるインク用液体の色が、着色が容易な、無色透明、あるいは、着色剤と同系の薄い色なので、インク用液体を着色していることが使用者に悟られてしまう場合があり、この場合、使用者が受ける視覚的な意外性が弱くなってしまう。このため、使用者が視覚的な意外性をより一層強く受けるようになる改良が要望されている。
【０００９】
本発明の目的は、使用者が視覚的な意外性をより一層強く受けるようになる筆記具を提供することにある。
【００１０】
【課題を解決するための手段】
各請求項にそれぞれ記載された各発明は、上記目的を達成するためになされたものであり、各発明の特徴点を図面に示した発明の実施の形態を用いて、以下に説明する。
なお、符号は、発明の実施の形態において用いた符号を示し、本発明の技術的範囲を限定するものではない。
【００１１】
（請求項１）
（特徴点）
請求項１記載の発明は、次の点を特徴とする。
すなわち、請求項１に記載の発明は、インク用液体（１６）と、このインク用液体（１６）に着色するための着色剤の主体とが分離されて収納され、インク用液体（１６）が筆記先端へ誘導される途中で、着色剤がインク用液体（１６）に添加されるように設けられている筆記具に於いて、前記インク用液体（１６）中に、当該インク用液体（１６）中において白色を呈する白色粒子が混入していることを特徴とする。
【００１２】
ここで、「インク用液体」とは、従来のインクのビヒクルに相当するものであり、従来のインクから染料又は顔料を除いた部分を主体とするものを言う。
また、「着色剤」とは、従来のインクの染料又は顔料に相当するものであり、従来のインクからビヒクルを除いた部分を主体とするものを言う。
【００１３】
さらに、インク用液体（１６）としてのビヒクルとしては、例えば、水、水溶性有機溶剤、潤滑剤、防腐剤、防錆剤、ｐＨ調整剤、乾燥防止剤、及び、増粘剤等を適宜配合して調整した低粘度水性タイプのインク用液体、並びに、低級アルコール、グリコールエーテル、高沸点アルコール、及び、樹脂等を適宜配合して調整したアルコール系タイプのインク用液体が採用できる。
【００１４】
また、白色粒子としては、例えば、一般的にエマルションやプラスチックピグメントとして市販されているものが採用でき、その成分としては、ポリスチレン、ポリメチルメタクリレート、ポリ塩化ビニル、ベンゾグアナミン樹脂、エポキシ樹脂、アクリル酸エステル、及び、メタクリル酸エステル（例えば、アクリル酸エチル、アクリル酸プロピル、アクリル酸ブチル、メタクリル酸メチル、メタクリル酸エチル、メタクリル酸プロピル、メタクリル酸ブチル等）が挙げられるが、これに限定されるものではない。
さらに、白色粒子としては、一般に使用されている顔料である酸化チタン、炭酸カルシウム、タルク、及び、窒化ホウ素等も採用することができる。
そして、上記のような白色粒子をインク用液体中に直接添加して撹拌する、又は、さらに分散剤（分散樹脂や界面活性剤）を用いて分散体とすることで、白色を呈するインク用液体を得ることができる。
【００１５】
このような請求項１記載の発明では、白色粒子として、白色の顔料を採用すれば、紙等の白色を呈する被筆記面において、白色粒子は、まったく目立たないので、インク用液体（１６）を無色透明や淡く薄い色にしなくとも、紙面に記載された筆記描線が呈する色にインク用液体（１６）が殆ど影響を与えることがない。このため、筆記描線は、殆ど着色剤そのものの色彩で鮮やかに描かれるようになり、筆記時に、あたかもインク用液体（１６）の色が化学的に変化したように使用者に思わせることができ、使用者が受ける視覚的な意外性がより一層強くなる。
また、白色粒子としてエマルションを形成するものを採用すれば、紙等の被筆記面においては白色粒子が無色透明なので、インク用液体（１６）を無色透明や薄い色にしなくとも、紙面に記載された筆記描線が呈する色にインク用液体（１６）が何ら影響を与えることがない。このため、筆記描線は、着色剤そのものの色彩で鮮やかに描かれるようになり、あたかもインク用液体（１６）の色が化学的に変化したように使用者に思わせることができ、使用者が受ける視覚的な意外性がより一層強くなる。
【００１６】
（請求項２）
（特徴点）
請求項２記載の発明は、前述した請求項１記載の発明において、次の点を特徴とする。
すなわち、請求項２に記載の発明は、前記インク用液体（１６）中には、前記白色粒子の他に、筆記描線の色とは異なる色に発色する染料及び顔料の少なくとも一方が混入していることを特徴とする。
【００１７】
このような請求項２記載の発明では、インク用液体（１６）に含まれた白色粒子の白色が下地となるので、インク用液体（１６）に含まれる染料あるいは顔料は、その量が少なくとも、色彩が鮮やかに引き立つようになる。このため、インク用液体（１６）に含まれる染料あるいは顔料が、紙面に記載された筆記描線の色に殆ど影響を与えることがなくなり、殆ど着色剤そのものの色彩で筆記描線が鮮やかに描かれ、筆記時に、あたかもインク用液体（１６）の色が化学的に全く異なる色に変化したように使用者に思わせることができ、この点からも、使用者が受ける視覚的な意外性がより一層強くなる。
【００１８】
（請求項３）
（特徴点）
請求項３記載の発明は、前述した請求項１又は２に記載の発明において、次の点を特徴とする。
すなわち、請求項３記載の発明は、前記インク用液体（１６）及び前記白色粒子がエマルションを形成していることを特徴とする。
【００１９】
このような請求項３記載の発明では、前述したように、紙等の被筆記面において、エマルションを形成する白色粒子は、無色透明なので、インク用液体（１６）が無色透明や薄い色でなくとも、紙面に記載された筆記描線が呈する色に何ら影響を与えることがない。このため、筆記描線は、着色剤そのものの色彩で鮮やかに描かれるようになり、あたかもインク用液体（１６）の色が化学的に変化したように使用者に思わせることができ、使用者が受ける視覚的な意外性がより一層強くなる。
【００２０】
【発明の実施の形態】
以下、本発明に係る実施の形態を、図示例と共に説明する。本実施形態においては、直液式低粘度水性ボールペンを参考にして説明するが、本発明は、これに限定されるものでは無い。
図１乃至図３は本発明の第１実施形態を示している。図１乃至図３において、本第１実施形態の筆記具は、円筒状の軸筒１を備え、この軸筒１の後方側の内部には、インク用液体１６を収納するための液体収納部１ａが設けられ、また、前方側の内部には、液体収納部１ａの圧力変化によるインク用液体の筆記先端部からの漏れ出しを防止するためのコレクター５が固定されている。
【００２１】
また、前記軸筒１は、例えば、ポリプロピレン（ＰＰ）などの合成樹脂を材料として、全体が無色透明に形成され、これにより、軸筒１の外部からその内部を視認できるようにしてある。
なお、軸筒１は、円筒状に形成される場合に限られず、例えば、その外周を多角形状に形成してもよい。
【００２２】
また、軸筒１は、ポリプロピレン（ＰＰ）を材料として形成される場合に限られず、例えば、ポリ塩化ビニル（ＰＶＣ）、ポリビニルブチラール（ＰＶＢ）、ポリビニルアルコール（ＰＶＡ）、ポリ塩化ビニリデン（ＰＶＤＣ）、ポリ酢酸ビニル（ＰＶＡＣ）、ポリビニルホルマール（ＰＶＦ）、ポリ二塩化ビニルなどのビニル系、ポリスチレン（ＰＳ）、スチレン・アクリロニトリル共重合体（ＡＳ）、ＡＢＳなどのポリスチレン系、エチレン・酢酸ビニル共重合体（ＥＶＡ）などのポリエチレン系、ポリメチルメタクリレート（ＰＭＭＡ）、変性アクリルなどのアクリル系、三ふっ化塩化エチレン（ＰＣＴＦＥ）、四ふっ化エチレン（ＰＴＦＥ）、四ふっ化エチレン・六ふっ化プロピレン（ＦＥＰ）、ふっ化ビニリデン（ＰＶＤＦ）などのふっ素樹脂、ポリアセタール（ＰＡ）、ポリカーボネート（ＰＣ）、フエノキシ、ポリエステル（ＰＥＴＰ）、ポリウレタン（ＰＵ）、フェノール・ホルムアルデヒド樹脂（ＰＦ）、尿素樹脂（ＵＦ）、メラニン・ホルムアルデヒド樹脂（ＭＦ）、エポキシ樹脂（ＥＰ）、フラン樹脂（ＦＦ）、キシレン樹脂（ＸＦ）、シリコーン樹脂、ナイロンなどを材料として形成してもよい。
【００２３】
また、軸筒１は、無色透明に形成される場合に限られず、例えば、有色透明、あるいは半透明に形成してもよい。
また、軸筒１は、全体が透明に形成される場合に限られず、例えば、その一部に透明な窓を設けることにより、その内部を視認できるようにしてもよい。
また、軸筒１は、全体が透明に形成されると共に、その把持部となる位置の外周に透明あるいは不透明な弾性体グリップが設けられてもよい。
また、軸筒１の表面に、文字や図形や模様などを付してもよい。
即ち、軸筒１は、その内部が視認できるように形成されていることが望ましいものである。
【００２４】
また、上述したコレクター５は、例えば、ＡＢＳなどの合成樹脂を材料として、全体が無色透明に形成されている。
また、図１乃至図３に示すように、コレクター５の外周には、液体収納部１ａ側の後端から筆記先端部側へ向けて形成されている液体誘導溝７と、筆記先端部側の前端から液体収納部１ａ側へ向けて形成されている空気置換溝８と、液体誘導溝７及び空気置換溝８の双方と交わるように形成されている多数の液体保留溝６とが設けられ、これらにより、液体収納部１ａ内の圧力変化を調整するようにしている。
【００２５】
なお、コレクター５は、無色透明に形成される場合に限られず、例えば、有色透明、半透明、あるいは不透明に形成してもよい。即ち、コレクター５は、その内部が視認できるものであってもよく、また、その内部が視認できないものであってもよい。
また、コレクター５の中心には、その後端部から筆記先端側の前端部まで貫通する孔部５ａが設けられている。この孔部５ａは、円筒状に形成される場合に限られず、例えば、その内周面を多角形状に形成してもよい。また、例えば、孔部５ａの内周面に、液体収納部１ａ側の後端から筆記先端部側の前端まで連続する多数の溝を設けてもよい。
【００２６】
また、その孔部５ａの軸方向略中央に孔部を適宜縮径した状態の規制部９が設けられると共に、孔部５ａの規制部９の後方側に着色剤吸着芯１４が挿入され、その着色剤吸着芯１４を固定する状態でコレクターの孔部５ａの後端にコレクター用芯１５が固定されている。なお、コレクター用芯１５は、着色剤吸着芯１４を固定する役目と共にインク用液体１６を着色剤吸着芯１４に誘導し、且つ着色剤吸着芯１４に吸着されなかった着色剤が液体収納部１ａのインク用液体１６及びコレクター５の液体保留溝６内に混入するのを防ぐ更なる安全装置となる。
【００２７】
また、孔部５ａの規制部９の前方側には、液体収納部１ａから着色剤吸着芯１４を経由して筆記先端部側へインク用液体１６を誘導するための着色剤添加芯１３が挿入されている。液体収納部１ａの内部に収納されたインク用液体１６の中には、インク用液体１６に溶解しない液体非溶解物である、図示しない広告用プレートが浮遊している。この広告用プレートには、商品の名称や図が描かれている。
また、着色剤添加芯１３に着色剤を含浸させることにより、着色剤をインク用液体１６とは分離して収納するようにしている。更には、これらにより、インク用液体１６が筆記先端部側へ誘導される途中で、着色剤がインク用液体１６に添加されるようにしている。
【００２８】
前記着色剤添加芯１３は、繊維束体によって、　円柱棒状に形成されている。
また、　着色剤添加芯１３としての繊維束体には、　インク用液体１６を誘導するための適正な気孔率が設けられている。
また、　着色剤添加芯１３は、　繊維束体によって形成される場合に限られず、　例えば、　多孔質体によって形成してもよい。
また、着色剤添加芯１３は、　ポリアセタール，　ポリプロピレンあるいはポリエステルなどの合成樹脂によって形成してもよい。　この場合、　芯の外周面に、　一方の端部から他方の端部まで連続する多数の毛細管溝やスリットや凹状部を設けたり、　あるいは芯の内部に、　一方の端部から他方の端部まで貫通する多数の毛細管溝や毛細管孔や凹状部が設けられる。
【００２９】
一方、筆記具を筆記せずに放置している状態が長く続くと着色剤がインク用液体に拡散し、見た感じの従来筆記具との差がなくなってしまう危険性がある。
そこで、着色剤吸着芯１４は、着色剤を拡散途中で捕獲・吸着させる目的で、活性炭を主材とした粉末状や繊維状のものを多孔質状で円柱棒状体に形成してなるものであって、インク用液体１６と着色剤添加芯１３との間に配設され、着色剤吸着芯１４の前端と着色剤添加芯１３の後端が略接触するように設けられることによって、インク用液体１６を液体収納部１ａから着色剤添加芯１３へ誘導可能とすると共に、　拡散された着色剤を吸着し、着色剤が液体収納部１ａ側へ移動するのを防止して、従来の筆記具とは見た感じがまったく異なる状態を長く維持可能とする。例えば、インク用液体１６が無色透明または、インク用液体１６に微着色した場合、その極めて薄い色の状態を長く維持することが可能である。
【００３０】
また、上述したように、コレクターの孔部５ａの軸方向略中央には、孔部５ａを適宜縮径した状態の規制部９が設けられている。この規制部９は、孔部５ａの内壁に一体に、前面にテーパー面を有して形成され、このテーパー面に密接するように着色剤添加芯１３の後端もテーパー面で形成されて、着色剤添加芯１３のテーパー状の後端が着色剤吸着芯１４の前端に接触している。
着色剤添加芯１３と着色剤吸着芯１４の接触部をこのように設けることによって、着色剤吸着芯１４が、液体収納部１ａから着色剤添加芯１３へインク用液体１６を適正量で誘導することが可能となり、且つ着色剤が液体収納部１ａ側へ移動するのが抑制されるので、一層着色剤が液体収納部１ａ側へ移動するが防止される。なお、前記規制部９の形状は、本第１実施形態の形状に限定されず、設計都合により形状が選定可能である。
なお、このことは後述するコレクターを備えていない直液式のサインペン、マーカーペン、あるいはボールペンにも用いることができる。この場合、着色剤吸着芯の前端と着色剤添加芯の後端との接触面を適宜制限するように規制部が設けられる。
【００３１】
また、筆記具の前方部に於いて、前端に口先部２が固着された継ぎ手３が軸筒１の前端に固着され、口先部２の前端に筆記先端部としてのボールペンチップ１０が固定されると共に、口先部２の後方に延設された軸部がコレクター５の前端に形成された軸部の内孔に固定されている。また、口先部２と継ぎ手３との接合部に外気と接続する空気孔４が形成され、その空気孔４からコレクター５に設けられた空気置換溝８に連通する通気路が形成されている。
また、　ボールペンチップ１０は、　その前端に先端ボールを回転自在に保持し、　また、　ボールペンチップ１０の内部には、　インク誘導芯１２の前端部が挿入され、　これにより、　着色剤添加芯１３を通過したインクが筆記先端部へ誘導されるようになっている。
【００３２】
なお、筆記先端部は、ボールペンチップ１０によって形成される場合に限られず、例えば、万年筆のペン先によって形成してもよく、また、フェルトからなる筆記用先端によって形成してもよく、また、繊維束体からなる筆記用先端によって形成してもよく、また、ニードルペンに用いられる細い管状の筆記用先端によって形成してもよい。
【００３３】
ここで、インク用液体１６は、低粘度水性タイプあるいはアルコール系タイプのインク用液体（ビヒクル）に、当該インク用液体中において白色を呈する白色粒子を混ぜたものである。インク用液体１６は、白色粒子のみを混合した状態では、白色を呈するものであるが、このインク用液体１６中には、必要に応じて、白色粒子の他に、筆記描線の色とは異なる色に発色する染料及び顔料の少なくとも一方が混入される。例えば、水色を呈するインク用液体１６とする場合には、白色粒子の他に、青色の染料が混入される。
なお、白色粒子としては、例えば、一般的にエマルションやプラスチックピグメントとして市販されているものが採用できる。
【００３４】
図４及び図５は、本発明の第２実施形態を示している。
図４及び図５において、第２実施形態に係る筆記具は、円筒状の軸筒１９を備え、この軸筒１９の前方側の内部には、液体収納部の圧力変化によるインク用液体の筆記先端部からの漏れ出しを防止するためのコレクター２０が固定されている。
この第２実施形態は、上述した第１実施形態がコレクターの孔部５ａの軸方向略中央に、孔部５ａを適宜縮径した状態の規制部９を設け、液体収納部１ａから着色剤添加芯１３へのインク用液体１６を適正量で誘導可能とし、且つ着色剤が液体収納部１ａ側へ移動するのを一層防止可能とするのに対し、着色剤添加芯２２の後端が着色剤吸着芯２３の前端とがそのまま接触した状態で設けられており、より好ましい第１実施形態に対し実質上は本発明の目的を達成可能とするものである。
【００３５】
図６及び図７は、本発明の第３実施形態を示している。
図６及び図７において、第３実施形態に係る筆記具は、円筒状の軸筒２４を備え、この軸筒２４の前方側の内部には、液体収納部の圧力変化によるインク用液体の筆記先端部からの漏れ出しを防止するためのコレクター２５が固定されている。
また、コレクター２５の孔部の軸方向略中央に、孔部の内壁に密着してブッシュ２９が固定され、そのブッシュ２９の後端に着色剤吸着芯２８の前端が略当接して設けられ、またブッシュ２９の軸心に設けられた細孔部に着色剤添加芯２７の後端に形成された細径部２７ａ　が嵌挿され、規制部として機能すると共に、細径部２７ａ　の後端が着色剤吸着芯２８の前端に接触して設けられている。なお、ブッシュ２９はゴムなどの弾性体で形成されるが、特に限定はされない。この第３実施形態によれば、前記第１実施形態と同様の作用・効果（性能）を達成することができる。
【００３６】
【実施例】
以下、さらに具体的な実施例１，２により、本発明を更に詳しく説明する。
（実施例１）
本実施例１は、第１実施形態で示した構造を有するボールペンに、白色のインク用液体１６、及び、赤色の着色剤添加芯１３を採用したものである。
【００３７】
（インク用液体１６）
本実施例１で採用するインク用液体１６は、下記の成分を下記の割合で配合した、白色を呈するインク用液体である。
−インク用液体１６の成分（重量％）−
・グリセリン（溶剤）　　　　　　　　　　　　　　　　１０　　　％
・ジエチレングリコール（溶剤）　　　　　　　　　　　１０　　　％
・２−ピロリドン（溶剤）　　　　　　　　　　　　　　１０　　　％
・ベンゾトリアゾール（防錆剤）　　　　　　　　　　　　　　０．１　％
・トリエタノールアミン（ｐＨ調整剤）　　　　　　　　　　　　　　　　　　　　　　０．５　％
・フォスファノールＲＥ−６１０（潤滑剤；東邦化学工業（株）製）　　０．０５％
・プロキセルＧＸＬ（防腐剤；ゼネカ（株）製）　　　　　　　　　　　　　０．１　％
・ＹＪ−１１２０Ｄ（白色エマルション；三菱化学）　　　　　　　　　　　　　　１０　　　％
・精製水　　　　　　　　　　　　　　　　　　　　　　５９．２５％
【００３８】
（着色剤添加芯１３）
本実施例１で採用する着色剤添加芯１３は、下記の成分を下記の割合で配合した着色剤含浸用液体を添加芯に含有させた後、当該添加芯を乾燥させた無臭のものである。
−着色剤含浸用液体の成分（重量％）−
・食用赤１０４号（染料）　　　　　　　　　　　　　　２０％
・エチルアルコール（溶剤）　　　　　　　　　　　　　８０％
【００３９】
（実施例２）
本実施例２は、第１実施形態で示した構造を有するボールペンに、無臭のインク用液体１６及び香り付き着色剤添加芯１３を採用したものである。
（インク用液体１６）
本実施例２で採用するインク用液体１６は、下記の成分を下記の割合で配合し、ペイントシェーカーにて分散した水色のインク用液体である。
−インク用液体１６の成分（重量％）−
・Ｎ−メチル−２−ピロリドン（溶剤）　　　　　　　　　１５　　　％
・グリセリン（溶剤）　　　　　　　　　　　　　　　　　２０　　　％
・ベンゾトリアゾール（防錆剤）　　　　　　　　　　　　　　　　　　　　　　　　　　　　０．１　％
・トリエタノールアミン（ｐＨ調整剤）　　　　　　　　　　　　　　　　　０．５　％
・フォスファノールＲＥ−６１０（潤滑剤；東邦化学工業（株）製）　０．０５％
・プロキセルＧＸＬ（防腐剤；ゼネカ（株）製）　　　　　　　０．１　％
・酸化チタン（白色粒子）　　　　　　　　　　　　　　　　３　　　％
・スチレンマレイン酸樹脂アンモニウム塩（分散剤）　　　　０．５　％
・スチレンアクリル酸樹脂アンモニウム塩（分散剤）　　　　０．１　％
・青１号（染料）　　　　　　　　　　　　　　　　　　　　０．０１％
・精製水　　　　　　　　　　　　　　　　　　　　　　　６０．６４％
【００４０】
（着色剤添加芯１３）
本実施例２で採用する着色剤添加芯１３は、下記の成分を下記の割合で配合した着色剤含浸用液体を添加芯に含有させた後、乾燥させたものである。
−着色剤含浸用液体の成分（重量％）−
・アイゼンスピロンバイオレットＣ−ＲＨ　　　　　　　　２０％
（染料；保土ヶ谷化学工業（株）社製）
・メチルアルコール（揮発性溶剤）　　　　　　　　　　　４０％
・エチルアルコール（揮発性溶剤）　　　　　　　　　　　４０％
【００４１】
【作用及び結果】
実施例１によれば、ペン体の外観インク色は白色であるが、筆記すると赤色を呈した筆記描線を得ることが出来た。
実施例２によれば、ペン体の外観インク色は、僅かな青１号（染料）で水色を呈した。また、ペン体の外観インク色を水色としたが、筆記すると紫色を呈した筆記描線を得ることが出来た。
以上のようにインクの外観色と実際の筆記描線が、異なる色を呈することで驚きや不思議感を与え、また実用性のある描線色を呈することが可能となり、使用者が受ける視覚的な意外性を、より一層強くすることができる。
【００４２】
【発明の効果】
本発明は、以上のように構成されているので、以下に記載されるような効果を奏する。
（請求項１の効果）
請求項１記載の発明によれば、次のような効果を奏する。
すなわち、請求項１記載の発明によれば、白色粒子として、白色の顔料を採用すれば、紙等の白色を呈する被筆記面において、白色粒子は、まったく目立たないので、インク用液体を無色透明や淡く薄い色にしなくとも、紙面に記載された筆記描線が呈する色にインク用液体が殆ど影響を与えることがない。このため、筆記描線は、殆ど着色剤そのものの色彩で鮮やかに描かれるようになり、筆記時に、あたかもインク用液体の色が化学的に変化したように使用者に思わせることができ、使用者が受ける視覚的な意外性をより一層強くすることができる。
また、白色粒子としてエマルションを形成するものを採用すれば、紙等の被筆記面においては白色粒子が無色透明なので、インク用液体を無色透明や薄い色にしなくとも、紙面に記載された筆記描線が呈する色にインク用液体が何ら影響を与えることがない。このため、筆記描線は、着色剤そのものの色彩で鮮やかに描かれるようになり、あたかもインク用液体の色が化学的に変化したように使用者に思わせることができ、使用者が受ける視覚的な意外性をより一層強くすることができる。
【００４３】
（請求項２の効果）
請求項２記載の発明によれば、次のような効果を奏する。
すなわち、請求項２記載の発明によれば、インク用液体に含まれた白色粒子の白色が下地となるので、インク用液体に含まれる染料あるいは顔料は、その量が少なくとも、色彩が鮮やかに引き立つ。このため、インク用液体に含まれる染料あるいは顔料が、紙面に記載された筆記描線の色に殆ど影響を与えることがなくなり、殆ど着色剤そのものの色彩で筆記描線が鮮やかに描かれ、筆記時に、あたかもインク用液体の色が化学的に全く異なる色に変化したように使用者に思わせることができ、この点からも、使用者が受ける視覚的な意外性をより一層強くすることができる。
【００４４】
（請求項３の効果）
請求項３記載の発明によれば、上記した請求項１又は２記載の発明の効果に加え、次のような効果を奏する。
すなわち、請求項３記載の発明によれば、前述したように、紙等の被筆記面において、エマルションを形成する白色粒子は、無色透明なので、インク用液体が無色透明や薄い色でなくとも、紙面に記載された筆記描線が呈する色に何ら影響を与えることがない。このため、筆記描線は、着色剤そのものの色彩で鮮やかに描かれるようになり、あたかもインク用液体の色が化学的に変化したように使用者に思わせることができ、使用者が受ける視覚的な意外性をより一層強くすることができる。
【図面の簡単な説明】
【図１】本発明の第１実施形態に係る筆記具の全体を示す断面図である。
【図２】前記第１実施形態の要部を拡大して示した断面図である。
【図３】図２のＡ−Ａ線における断面図である。
【図４】本発明の第２実施形態に係る筆記具の全体を示す断面図である。
【図５】前記第２実施形態の要部を拡大して示した断面図である。
【図６】本発明の第３実施形態に係る筆記具の全体を示す断面図である。
【図７】前記第３実施形態の要部を拡大して示した断面図である。
【符号の説明】
１　　　　軸筒
１ａ　　　液体収納部
２　　　　口先部
３　　　　継ぎ手
４　　　　空気孔
５　　　　コレクター
５ａ　　　孔部
６　　　　液体保留溝
７　　　　液体誘導溝
８　　　　空気置換溝
９　　　　規制部
１０　　　ボールペンチップ
１１　　　先端ボール
１２　　　インク誘導芯
１３　　　着色剤添加芯
１４　　　着色剤吸着芯
１５　　　コレクター用芯
１６　　　インク用液体
１７　　　キャップ
１８　　　尾栓
１９　　　軸筒
２０　　　コレクター
２１　　　インク誘導芯
２２　　　着色剤添加芯
２３　　　着色剤吸着芯
２４　　　軸筒
２５　　　コレクター
２６　　　インク誘導芯
２７　　　着色剤添加芯
２７ａ　　細径部
２８　　　着色剤吸着芯
２９　　　ブッシュ
【図１】
2004142256.tif 000003
【図２】
2004142256.tif 000004
【図３】
2004142256.tif 000005
【図４】
2004142256.tif 000006
【図５】
2004142256.tif 000007
【図６】
2004142256.tif 000008
【図７】
2004142256.tif 000009